(57)【特許請求の範囲】
【請求項１】
撮影空間内で被写体を撮影するカメラと、
平面の発光面が前記被写体に向けられる平面ストロボと、
前記撮影空間において、前記カメラに向かう前記被写体の背面側に設けられる背面ストロボと
を備え、
前記平面ストロボの前記発光面は、前記背面ストロボの発光を反射し、前記被写体に照射するようになされている
写真シール作成装置。
【請求項２】
前記平面ストロボは、
撮影のタイミングで発光するストロボ発光管と、
前記ストロボ発光管の発光を反射する反射面をもつ平面反射板と、
前記発光面を構成する拡散板と
を有し、
前記平面反射板の反射面と、前記拡散板で構成される前記発光面とは、互いに略平行になるように構成される
請求項１に記載の写真シール作成装置。
【請求項３】
前記平面ストロボは、前記カメラの左右に、それぞれの前記発光面が撮影空間内の前記被写体に向けられるようにして設けられる
請求項２に記載の写真シール作成装置。
【請求項４】
前記ストロボ発光管の高さ方向の位置は、前記カメラの高さ方向の位置と略同じである
請求項２または３に記載の写真シール作成装置。
【請求項５】
前記カメラの撮像面と、左右の前記ストロボそれぞれの前記発光面とのなす角は、上面視で左右対称である
請求項４に記載の写真シール作成装置。
【請求項６】
前記カメラの撮像面と、左右の前記ストロボそれぞれの前記発光面とのなす角は、およそ40°乃至50°とされる
請求項５に記載の写真シール作成装置。
【請求項７】
前記平面反射板は、前記ストロボ発光管と前記拡散板との間に設けられる
請求項２乃至６のいずれかに記載の写真シール作成装置。
【請求項８】
前記ストロボ発光管は、前記平面反射板と前記拡散板との間に設けられる
請求項２乃至６のいずれかに記載の写真シール作成装置。
【請求項９】
前記ストロボは、上面視でＶ字をなす２平面から構成されるＶ字反射板をさらに有し、
前記Ｖ字反射板は、Ｖ字の内角側と前記平面反射板の面とが、前記ストロボ発光管を挟んで対向するように設けられる
請求項７または８に記載の写真シール作成装置。
【請求項１０】
前記カメラの上方に設けられる上ストロボと、
前記カメラの下方に設けられる足元ストロボとをさらに備え、
前記上ストロボは、正面上方から前記被写体の顔および上半身に光を照射し、
前記足元ストロボは、前記被写体の下半身および足元に光を照射する
請求項１乃至９のいずれかに記載の写真シール作成装置。
【請求項１１】
前記カメラは、前記被写体の顔および上半身を撮影範囲としたアップ撮影、および、前記被写体の全身を撮影範囲とした全身撮影を行い、
前記平面ストロボの発光パターンは、前記アップ撮影が行われる場合と前記全身撮影が行われる場合とで異なる
請求項１乃至１０のいずれかに記載の写真シール作成装置。
【請求項１２】
前記背面ストロボの前記発光面の高さ方向の位置および長さは、前記平面ストロボの前記発光面の高さ方向の位置および長さと略同じである
請求項１乃至１１のいずれかに記載の写真シール作成装置。
【請求項１３】
前記拡散板の色は、乳白色とされる
請求項１乃至１２のいずれかに記載の写真シール作成装置。
【発明の詳細な説明】
【技術分野】
【０００１】
本技術は、写真シール作成装置に関し、特に、柔らかい光を十分に当てることができるようにする写真シール作成装置に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
写真シール機においては、撮影空間内に設けられているストロボが、撮影のタイミングで発光する。従来、ストロボから利用者に照射される光は固い光であった。
【０００４】
ここで、固い光とは、光源から直接的に被写体に当たる光のことを指し、陰影が強く出る光である。一方、柔らかい光とは、反射または拡散することで光源から間接的に被写体に当たる光のことを指し、陰影がさほど出ない光である。人物の撮影には、柔らかい光が適しているといわれている。
【０００５】
近年、写真シール機においても、柔らかい光を被写体に当てることが検討されている。
【０００６】
例えば、特許文献１には、カメラの上下左右に平面の発光面を有するストロボを備える写真シール機が記載されている。このストロボは、発光面の反対側に光を照射する照明装置、発光面の反対側に設けられた反射板、および、発光面を構成する拡散板を有している。
【０００７】
このような構成のストロボにより、被写体に、照明装置からの光を直接的に当てることなく、柔らかい光を照射することができる。
【先行技術文献】
【特許文献】
【０００８】
【特許文献１】特開２００３−２０７８４１号公報
【発明の概要】
【発明が解決しようとする課題】
【０００９】
しかしながら、特許文献１の構成では、照明装置から照射され、反射板で反射して拡散板（発光面）に進む光に偏りができてしまう。これにより、発光面を光源として利用者に照射される光にムラが生じ、立ち位置によっては、利用者に十分な光が当たらないおそれがある。
【００１０】
本技術は、このような状況に鑑みてなされたものであり、柔らかい光を十分に当てることができるようにするものである。
【課題を解決するための手段】
【００１１】
本技術の一側面の写真シール作成装置は、撮影空間内で被写体を撮影するカメラと、平面の発光面が前記被写体に向けられる平面ストロボと、前記撮影空間において、前記カメラに向かう前記被写体の背面側に設けられる背面ストロボとを備え、前記平面ストロボの前記発光面は、前記背面ストロボの発光を反射し、前記被写体に照射するようになされている。
【００１２】
前記平面ストロボは、前記カメラの左右に、それぞれの前記発光面が撮影空間内の前記被写体に向けられるようにして設けられるようにすることができる。
【００１３】
前記ストロボ発光管の高さ方向の位置は、前記カメラの高さ方向の位置と略同じであるようにすることができる。
【００１４】
前記カメラの撮像面と、左右の前記ストロボそれぞれの前記発光面とのなす角は、上面視で左右対称であるようにすることができる。
【００１５】
前記カメラの撮像面と、左右の前記ストロボそれぞれの前記発光面とのなす角は、およそ40°乃至50°とされるようにすることができる。
【００１６】
前記平面反射板は、前記ストロボ発光管と前記拡散板との間に設けられるようにすることができる。
【００１７】
前記ストロボ発光管は、前記平面反射板と前記拡散板との間に設けられるようにすることができる。
【００１８】
前記ストロボには、上面視でＶ字をなす２平面から構成されるＶ字反射板をさらに設け、前記Ｖ字反射板は、Ｖ字の内角側と前記平面反射板の面とが、前記ストロボ発光管を挟んで対向するように設けられるようにすることができる。
【００１９】
前記写真シール作成装置には、前記カメラの上方に設けられる上ストロボと、前記カメラの下方に設けられる足元ストロボとをさらに設け、前記上ストロボには、正面上方から前記被写体の顔および上半身に光を照射させ、前記足元ストロボには、前記被写体の下半身および足元に光を照射させることができる。
【００２０】
前記カメラには、前記被写体の顔および上半身を撮影範囲としたアップ撮影、および、前記被写体の全身を撮影範囲とした全身撮影を行わせ、前記平面ストロボの発光パターンは、前記アップ撮影が行われる場合と前記全身撮影が行われる場合とで異なるようにすることができる。
【００２１】
前記背面ストロボの前記発光面の高さ方向の位置および長さは、前記平面ストロボの前記発光面の高さ方向の位置および長さと略同じであるようにすることができる。
【００２３】
前記拡散板の色は、乳白色とされるようにすることができる。
【００２４】
本技術の一側面においては、平面ストロボの発光面は、背面ストロボの発光を反射し、被写体に照射するようになされる。
【発明の効果】
【００２５】
本技術によれば、柔らかい光を十分に当てることが可能となる。
【図面の簡単な説明】
【００２６】
【図１】本技術の一実施の形態に係る写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】写真シール作成ゲーム処理について説明するフローチャートである。
【図１２】平面ストロボの外観構成例を示す図である。
【図１３】平面ストロボの内部構成例を示す図である。
【図１４】ストロボ発光部の構成例を示す図である。
【図１５】ストロボ発光部の構成例を示す図である。
【図１６】平面ストロボの構成例を示す上面図である。
【図１７】平面ストロボの他の構成例を示す上面図である。
【図１８】背面ストロボの外観構成例を示す図である。
【図１９】背面ストロボの内部構成例を示す図である。
【図２０】ストロボ発光部の構成例を示す図である。
【図２１】ストロボ発光部の構成例を示す図である。
【図２２】平面ストロボの他の機能について説明する図である。
【発明を実施するための形態】
【００２７】
以下、本技術を適用した具体的な実施の形態について、図面を参照しながら詳細に説明する。
【００２８】
＜写真シール作成装置の外観構成＞
図１および図２は、写真シール作成装置１の外観の構成例を示す斜視図である。
【００２９】
写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００３０】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００３１】
図１に示すように、写真シール作成装置１は、基本的に、撮影ユニット１１と編集ユニット１２が接した状態で設置されることによって構成される。
【００３２】
撮影ユニット１１は、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて設置される。撮影部２１と背景部２２の間に形成される空間が、撮影処理が行われる撮影空間となる。
【００３３】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００３４】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置されるものとする。なお、事前選択部２０は、側面パネル４１Ｂに設置されるようにしてもよいし、側面パネル４１Ａ，４１Ｂの両方に設置されるようにしてもよい。
【００３５】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００３６】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００３７】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、利用者が所望する背景画像がシートの部分に合成される。
【００３８】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３９】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００４０】
編集ユニット１２は、撮影画像に編集を施すための装置である。編集ユニット１２は、一方の側面が撮影部２１の正面パネル４２に接するようにして、撮影ユニット１１に連結している。
【００４１】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００４２】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００４３】
編集ユニット１２の上方にはカーテンレール２６が取り付けられる。カーテンレール２６は、３本のレール２６Ａ乃至２６Ｃが、組み合わせられて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００４４】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００４５】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００４６】
＜利用者の移動について＞
ここで、写真シール作成ゲームの流れと、それに伴う利用者の移動について説明する。図３は、写真シール作成装置１を上から見た平面図である。
【００４７】
まず、利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４８】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。そして利用者は、撮影部２１に設けられたカメラやタッチパネルモニタなど利用して撮影作業を行う。
【００４９】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００５０】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００５１】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００５２】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の写真シール作成ゲームを終える。
【００５３】
次に、各装置の構成について説明する。
【００５４】
＜事前選択部の構成＞
図４は、事前選択部２０の構成例を示す図である。
【００５５】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影に関するコースの選択などを行わせる事前選択処理に用いられる画面が表示される。
【００５６】
タッチパネルモニタ７１の下方には、スピーカ７２が設けられる。スピーカ７２は、事前選択処理の案内音声、BGM（Back Ground Music）、効果音などを出力する。また、スピーカ７２に隣接するようにして、利用者が硬貨を入れる硬貨投入返却口７３が設けられる。
【００５７】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５８】
正面パネル４２の中央には、カメラユニット８１が設けられる。カメラユニット８１は、カメラ９１およびタッチパネルモニタ９２から構成される。
【００５９】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００６０】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。タッチパネルモニタ９２には、カメラ９１により取り込まれた動画像（ライブビュー画像）や静止画像（撮影画像）が表示される。
【００６１】
なお、カメラユニット８１は、カメラ９１が、利用者の平均的な身長に合わせた高さ方向の位置にくるように設置される。
【００６２】
カメラユニット８１の上方には、曲面の発光面を利用者に向けた上ストロボ８２が設置される。上ストロボ８２は、正面上方から利用者の顔および上半身に光を照射する。
【００６３】
カメラユニット８１の左方には、縦長の矩形状で平面の発光面が利用者に向けられる左ストロボ８３が設置される。左ストロボ８３は、正面左方から利用者の顔および上半身に光を照射する。カメラユニット８１の右方には、縦長の矩形状で平面の発光面が利用者に向けられる右ストロボ８４が設置される。右ストロボ８４は、正面右方から利用者の顔および上半身に光を照射する。
【００６４】
左ストロボ８３および右ストロボ８４もまた、利用者の平均的な身長に合わせた高さ方向の位置に配置されている。これにより、利用者の顔から腰あたりまでに光が照射される。なお、左ストロボ８３および右ストロボ８４は、平面の発光面を有することから、それぞれを、適宜、平面ストロボともいうこととする。
【００６５】
また、カメラユニット８１の下方には、利用者の下半身および足元に光を照射する足元ストロボ８５が設けられる。
【００６６】
なお、図示はしないが、正面パネル４２の例えば天井付近には、スピーカが設けられる。そのスピーカは、撮影処理の案内音声、BGM、効果音などを出力する。
【００６７】
＜背景部の構成＞
図６は、背景部２２の撮影空間Ａ１側の構成例を示す図である。
【００６８】
背面パネル５１の上方には、背面上ストロボ１０１が設置される。背面上ストロボ１０１は、背面上方から利用者に光を照射する。
【００６９】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００７０】
背面左ストロボ１０２および背面右ストロボ１０３は、丸みを帯びた半柱状に形成されている。背面左ストロボ１０２および背面右ストロボ１０３の高さ方向の位置および長さは、左ストロボ８３および右ストロボ８４のそれと略同じになるようになされている。
【００７１】
また、背面パネル５１の撮影空間Ａ１側（図中、手前側）の面には、クロマキーシート１２１が貼り付けられる。クロマキーシート１２１の色は、例えば緑色とされる。
【００７２】
なお、図示はしないが、側面パネル５２Ａ，５２Ｂの撮影空間Ａ１側の面にも、クロマキーシート１２１と同様に、クロマキーシートが貼り付けられる。
【００７３】
＜編集ユニットの構成＞
図７は、編集ユニット１２の正面側（編集空間Ａ２−１側）の構成例を示す図である。
【００７４】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００７５】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７６】
図８は、編集ユニット１２の左側面の構成例を示す図である。
【００７７】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００７８】
＜写真シール作成装置の内部構成＞
図９は、写真シール作成装置１の内部の構成例を示すブロック図である。図９において、上述した構成と同じ構成には同じ符号を付してある。重複する説明については適宜省略する。
【００７９】
制御部２０１はCPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前選択部２０８、撮影部２０９、編集部２１０Ａ，２１０Ｂ、および印刷部２１１の各構成も接続される。
【００８０】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００８１】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００８２】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００８３】
ROM２０６は、制御部２０１において実行されるプログラムやデータを記憶する。RAM２０７は、制御部２０１が処理するデータやプログラムを一時的に記憶する。
【００８４】
事前選択部２０８は、事前選択空間Ａ０にいる利用者を対象とした事前選択処理を実現する。事前選択部２０８は、タッチパネルモニタ７１、スピーカ７２、および硬貨処理部２２１から構成される。
【００８５】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００８６】
硬貨処理部２２１は、硬貨投入返却口７３への硬貨の投入を検出する。硬貨処理部２２１は、所定の金額分の硬貨が投入されたことを検出した場合、ゲームの開始を指示する起動信号を制御部２０１に出力する。
【００８７】
撮影部２０９は、撮影空間Ａ１にいる利用者を対象とした撮影処理を実現する。撮影部２０９は、照明装置２３１、カメラ９１、タッチパネルモニタ９２、およびスピーカ２３２から構成される。
【００８８】
照明装置２３１は、撮影空間Ａ１内の各ストロボであり、制御部２０１から供給される照明制御信号に従って発光する。
【００８９】
カメラ９１は、制御部２０１によるシャッタ制御に従って撮影を行い、撮影によって得られた撮影画像（画像データ）を制御部２０１に出力する。
【００９０】
編集部２１０Ａは、編集空間Ａ２−１にいる利用者を対象とした編集処理を実現する。編集部２１０Ａは、タブレット内蔵モニタ１３１、タッチペン１３２Ａ，１３２Ｂ、およびスピーカ２４１から構成される。編集部２１０Ｂは、編集空間Ａ２−２にいる利用者を対象とした編集処理を実現し、編集部２１０Ａと同一の構成を有する。なお、以下、編集部２１０Ａ，２１０Ｂを特に区別しない場合には、単に、編集部２１０という。
【００９１】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００９２】
印刷部２１１は、印刷待ち空間Ａ３にいる利用者に、印刷済みのシール紙を提供する印刷処理を実現する。印刷部２１１は、プリンタ２５１を含むように構成される。プリンタ２５１にはシール紙ユニット２５２が装着される。
【００９３】
プリンタ２５１は、制御部２０１から供給された印刷データに基づいて、編集画像をシール紙ユニット２５２に収納されているシール紙２６１に印刷し、シール紙排出口１６１に排出する。
【００９４】
＜制御部の構成＞
図１０は、制御部２０１の機能構成例を示すブロック図である。図１０に示す機能部のうちの少なくとも一部は、制御部２０１内のCPUにより所定のプログラムが実行されることによって実現される。これにより、写真シール作成装置１は、画像提供装置として機能する。
【００９５】
制御部２０１は、事前選択処理部３０１、撮影処理部３０２、編集処理部３０３、および印刷処理部３０４から構成される。
【００９６】
事前選択処理部３０１は、事前選択部２０８の各部を制御することで、事前選択処理を行う。撮影処理部３０２は、撮影部２０９の各部を制御することで、撮影処理を行う。編集処理部３０３は、編集部２１０の各部を制御することで、編集処理を行う。印刷処理部３０４は、印刷部２１１のプリンタ２５１を制御することで、印刷処理を行う。
【００９７】
＜写真シール作成装置の動作＞
ここで、図１１のフローチャートを参照して、写真シール作成ゲームを提供する写真シール作成装置１の動作について説明する。
【００９８】
ステップＳ１において、事前選択処理部３０１は、所定の金額分の硬貨が投入されたか否かを、硬貨処理部２２１から供給される起動信号に基づいて判定し、硬貨が投入されたと判定するまで待機する。
【００９９】
ステップＳ１において、硬貨が投入されたと判定された場合、処理はステップＳ２に進む。ステップＳ２において、事前選択処理部３０１は、事前選択部２０８を制御することで、事前選択処理を行う。具体的には、事前選択処理部３０１は、撮影空間で行われる撮影に関するコースの選択などを利用者に行わせることで、各種の設定を行う。
【０１００】
ステップＳ３において、撮影処理部３０２は、撮影部２０９を制御することで、撮影処理を行う。具体的には、撮影処理部３０２は、カメラ９１に取り込まれた被写体の動画像をタッチパネルモニタ９２にライブビュー表示させ、撮影空間Ａ１にいる利用者を被写体として撮影し、撮影画像を生成する。
【０１０１】
撮影処理においては、利用者によりあらかじめ選択されたコースに応じて、アップ撮影または全身撮影、およびその両方が行われる。
【０１０２】
ここで、アップ撮影とは、被写体の顔および上半身を撮影範囲とした撮影である。アップ撮影により、撮影画像として、被写体の顔および上半身が写るアップ画像が得られる。一方、全身撮影とは、被写体の全身を撮影範囲とした撮影である。全身撮影により、撮影画像として、被写体の全身が写る全身画像が得られる。
【０１０３】
ステップＳ４において、編集処理部３０３は、編集空間Ａ２−１と編集空間Ａ２−２のうち、撮影処理を終えた利用者の移動先とした方の編集空間に対応する編集部２１０を制御することで、編集処理を行う。具体的には、編集処理部３０３は、撮影処理により得られた撮影画像に対して利用者に編集作業を行わせることで、編集が施された編集画像を生成する。
【０１０４】
ステップＳ５において、印刷処理部３０４は、プリンタ２５１を制御することで、印刷処理を行う（開始する）。具体的には、印刷処理部３０４は、編集処理により得られた編集画像をプリンタ２５１に出力してシール紙に印刷する。なお、撮影処理により得られた撮影画像が、シール紙に印刷されるようにしてもよい。
【０１０５】
印刷が終了すると、ステップＳ６において、プリンタ２５１は、画像が印刷されたシール紙をシール紙排出口１６１に排出し、処理を終了させる。
【０１０６】
以上のようにして、写真シール作成ゲームに関する一連の処理が行われる。
【０１０７】
＜平面ストロボの構成について＞
さて、ここで、撮影空間Ａ１内に設けられる平面ストロボ（左ストロボ８３および右ストロボ８４）の構成について説明する。以下においては、左ストロボ８３の構成について説明するが、右ストロボ８４の構成は、左ストロボ８３の構成と左右対称に設けられるので、その説明は省略する。
【０１０８】
図１２は、左ストロボ８３の外観構成例を示す図である。
【０１０９】
上述したように、左ストロボ８３の発光面は、撮影空間Ａ１内に立つ利用者（被写体）に向けられる。すなわち、左ストロボ８３の発光面は、撮影空間Ａ１内に立つ利用者に向くよう、カメラ９１の撮像面（正面パネル４２の面）と所定の角をなすように設計されている。
【０１１０】
左ストロボ８３の発光面は、拡散板３１１により構成される。
【０１１１】
拡散板３１１は、左ストロボ８３の内部でのストロボ発光による光を拡散し、その外側（被写体側）に照射する。
【０１１２】
拡散板３１１は、縦長の矩形状で平面のアクリル板により構成される。拡散板３１１を構成するアクリル板の色は、乳白色（白濁色）とされる。なお、アクリル板の色は、乳白色に限らず、ストロボ発光による光の指向性が抑えられ、露光比が小さくなる色であれば、他の色であってもよい。
【０１１３】
なお、アクリル板の色に限らず、その厚さを調整することで、ストロボ発光による光の指向性を抑えるようにしてもよい。アクリル板の厚さを厚くするほど、また、アクリル板の色の透明度を低くするほど、指向性は抑えられる（拡散率は高まる）。
【０１１４】
図１３は、拡散板３１１を取り外した状態の左ストロボ８３の内部構成例を示す図である。
【０１１５】
左ストロボ８３の内部は、直角三角形を底面とした三角柱状の空間になっている。左ストロボ８３の内部で、高さ方向の中心より上側の位置に、ストロボ発光部３１２が設けられる。具体的には、ストロボ発光部３１２は、その高さ方向の位置が、カメラ９１の高さ方向の位置と略同じになるように設けられる。これにより、カメラ９１の撮影範囲にまんべんなく光を照射することができる。
【０１１６】
ストロボ発光部３１２の上側には、蛍光管３１３が設けられ、ストロボ発光部３１２の下側には、蛍光管３１４が設けられる。
【０１１７】
ストロボ発光部３１２および蛍光管３１３，３１４は、それぞれ、側面パネル４１Ａの内側の面に一端が取り付けられる支持部材によって支持されている。
【０１１８】
ストロボ発光部３１２は、撮影のタイミングで発光するストロボ発光管を備えている。
【０１１９】
蛍光管３１３，３１４は、撮影のタイミングにかかわらず常時点灯している。すなわち、蛍光管３１３，３１４は、拡散板３１１を介して、撮影空間Ａ１内に定常光を照射する。
【０１２０】
ここで、図１４乃至図１６を参照して、ストロボ発光部３１２の構成について説明する。図１４および図１５は、ストロボ発光部３１２の構成を示す図である。図１６は、平面ストロボの構成を示す上面図である。
【０１２１】
ストロボ発光部３１２は、撮影のタイミングで発光するストロボ発光管３２１、平面反射板３２２、Ｖ字反射板３２３、および、これらを支持する支持部材３２４から構成される。
【０１２２】
ストロボ発光管３２１は、円筒形の形状を有し、その円周面から、上面視で360°方向に光を照射する。
【０１２３】
平面反射板３２２は、ストロボ発光管３２１からみて発光面（拡散板３１１）側に設けられる。平面反射板３２２は、その反射面で、ストロボ発光管３２１の発光により発光面側に照射される光を、発光面の反対側（拡散板３１１が設けられない側）に反射する。
【０１２４】
また、Ｖ字反射板３２３は、上面視でＶ字をなす２平面から構成される。Ｖ字反射板３２３は、ストロボ発光管３２１からみて発光面（拡散板３１１）の反対側に設けられる。Ｖ字反射板３２３は、Ｖ字の内角側と平面反射板３２２の面とが、ストロボ発光管３２１を挟んで対向するように設けられる。Ｖ字反射板３２３は、Ｖ字の内角側の反射面で、ストロボ発光管３２１の発光による光を、発光面側に反射する。
【０１２５】
平面反射板３２２およびＶ字反射板３２３は、いずれもアルミ板により構成される。なお、アルミ板に限らず、その反射面の反射率が同等以上であれば、他の金属板や樹脂製の板で構成されるようにしてもよい。また、平面反射板３２２およびＶ字反射板３２３を、アルミ板やその他の材料で構成する場合、その反射面の色の明度を高くしたり、反射面を白色や黄色などの色彩にすることで、その反射率の高さを保つことができる。
【０１２６】
Ｖ字反射板３２３の高さ方向の長さは、ストロボ発光管３２１のそれよりも長い。また、平面反射板３２２の高さ方向の長さは、Ｖ字反射板３２３のそれよりも長く、幅方向の長さも、Ｖ字反射板３２３のそれよりも長い。
【０１２７】
このような構成により、ストロボ発光管３２１の発光による光は、直接的に発光面側（拡散板３１１側）に進むことはない。
【０１２８】
言い換えると、ストロボ発光管３２１の発光による光は、平面反射板３２２およびＶ字反射板３２３に反射することで、発光面とは反対側の側面パネル４１Ａ（４１Ｂ）や正面パネル４２側に進む。そして、側面パネル４１Ａ（４１Ｂ）や正面パネル４２に反射した光が、発光面側（拡散板３１１側）に進む。すなわち、ストロボ発光管３２１の発光による光は、反射光として、間接的に発光面側（拡散板３１１側）に進む。
【０１２９】
また、図１６に示されるように、平面ストロボにおいては、拡散板３１１で構成される発光面と、平面反射板３２２の反射面とは、互いに略平行になるように構成される。
【０１３０】
さらに、図１６に示されるように、カメラ９１の撮像面（正面パネル４２）と、左ストロボ８３および右ストロボ８４それぞれの発光面（拡散板３１１）とのなす角は、上面視で左右対称とされる。具体的には、正面パネル４２と、左ストロボ８３および右ストロボ８４それぞれの拡散板３１１とのなす角θは、30°乃至60°とされ、およそ40°乃至50°が好ましい。すなわち、正面パネル４２と、平面反射板３２２の反射面とのなす角もまた、30°乃至60°程度とされ、およそ40°乃至50°が好ましい。
【０１３１】
この角度は、カメラ９１と被写体との距離を、およそ700mm乃至900mmとした場合に、被写体に十分な光が当たる角度とされる。
【０１３２】
以上の構成によれば、平面ストロボにおいて、拡散板３１１で構成される発光面と、平面反射板３２２の反射面とが、互いに略平行になるように構成されるので、平面反射板３２２の反射面に反射され、発光面側に進む反射光が、偏ることなく一様に、拡散板３１１全体に回り込むようになる。したがって、発光面を光源として利用者に照射される光にムラが生じることなく、すなわち偏った光を照射する点光源や線光源ではなく、あたかも面光源のように均等に、利用者に対して柔らかい光を十分に当てることが可能となる。
【０１３３】
なお、以上においては、平面反射板３２２が、ストロボ発光管３２１と拡散板３１１との間に設けられるようにしたが、図１７に示されるように、ストロボ発光管３２１が、平面反射板３２２と拡散板３１１との間に設けられるようにしてもよい。このような構成においても、上述した構成と同様の作用、効果を奏することができる。
【０１３４】
＜各ストロボの機能＞
上述で説明した平面ストロボ（左ストロボ８３および右ストロボ８４）を含め、撮影空間Ａ１内に設けられた各ストロボは、撮影の際、それぞれの機能をもって発光する。
【０１３５】
上ストロボ８２は、アップ撮影および全身撮影の際に発光し、撮影空間Ａ１内の利用者に固い光を照射する。
【０１３６】
左ストロボ８３および右ストロボ８４は、アップ撮影の際に発光し、撮影空間Ａ１内の利用者の顔の左右に、柔らかい光を照射する。これにより、上ストロボ８２からの固い光により利用者の顔に生じる陰影が抑えられる。
【０１３７】
足元ストロボ８５は、アップ撮影および全身撮影の際に発光し、撮影空間Ａ１内の利用者に柔らかい光を照射する。これにより、アップ撮影の際には、上ストロボ８２からの固い光により利用者の顔（特にあご周り）や首に生じる陰影が抑えられる。また、全身撮影の際には、利用者の下半身や足元が明るく照らされる。
【０１３８】
天井ストロボユニット２４は、アップ撮影および全身撮影の際に発光し、撮影空間Ａ１内全体に向けて光を照射する。これにより、特に、全身撮影の際には、利用者の顔が明るく照らされる。
【０１３９】
背面上ストロボ１０１は、アップ撮影および全身撮影の際に発光し、撮影空間Ａ１内の利用者に柔らかい光を照射する。これにより、利用者の髪が上から明るく照らされる。
【０１４０】
背面左ストロボ１０２および背面右ストロボ１０３は、アップ撮影および全身撮影の際に発光し、撮影空間Ａ１内の利用者に柔らかい光を照射する。これにより、特に、アップ撮影の際には、利用者の髪が左右から明るく照らされる。
【０１４１】
なお、左ストロボ８３および右ストロボ８４の発光パターンは、アップ撮影が行われる場合と、全身撮影が行われる場合とで異なる。具体的には、左ストロボ８３および右ストロボ８４は、全身撮影の際には発光しないように制御される。これは、全身撮影のとき、利用者の立ち位置は、アップ撮影のときと比べて後方になり、左ストロボ８３および右ストロボ８４からの光が十分に利用者に届かないことによる。
【０１４２】
なお、全身撮影のとき、左ストロボ８３および右ストロボ８４の発光量を、アップ撮影のときと比べて高めるように制御することで、左ストロボ８３および右ストロボ８４が、全身撮影の際にも発光するようにしてもよい。
【０１４３】
＜背面左ストロボおよび背面右ストロボの構成について＞
次に、背面左ストロボ１０２および背面右ストロボ１０３の構成について説明する。以下においては、背面左ストロボ１０２の構成について説明するが、背面右ストロボ１０３の構成は、背面左ストロボ１０２の構成と左右対称に設けられるので、その説明は省略する。
【０１４４】
図１８は、背面左ストロボ１０２の外観構成例を示す図である。
【０１４５】
背面左ストロボ１０２の発光面は、丸みを帯びた半柱状に形成された拡散板３５１により構成される。
【０１４６】
拡散板３５１は、背面左ストロボ１０２の内部でのストロボ発光による光を拡散し、その外側（被写体側）に照射する。
【０１４７】
拡散板３５１は、アクリル板により構成される。拡散板３５１を構成するアクリル板の色もまた、例えば乳白色とされる。
【０１４８】
図１９は、拡散板３５１を取り外した状態の背面左ストロボ１０２の内部構成例を示す図である。
【０１４９】
背面左ストロボ１０２の内部で、高さ方向の中心より上側の位置に、ストロボ発光部３５２が設けられる。ストロボ発光部３５２の高さ方向の位置は、左ストロボ８３や右ストロボ８４の内部に設けられるストロボ発光部３１２の高さ方向の位置と略同じとされる。
【０１５０】
これにより、背面左ストロボ１０２（背面右ストロボ１０３）は、左ストロボ８３や右ストロボ８４と同じような範囲に光を照射することができる。すなわち、利用者の左右側面には、斜め前方からの光と、それと略同じ光量の、斜め後方からの光とが照射される。その結果、撮影画像に写る利用者に立体感をもたせることができる。
【０１５１】
ストロボ発光部３５２は、側面パネル５２Ｂの内側の面に取り付けられる支持筐体によって支持されている。
【０１５２】
図２０および図２１は、ストロボ発光部３５２の構成を示す図である。
【０１５３】
ストロボ発光部３５２は、拡散部材３６１、および、撮影のタイミングで発光するストロボ発光管３６２から構成される。なお、図中左方向が、側面パネル５２Ｂ側で、図中奥行き方向が、背面パネル５１側となる。
【０１５４】
拡散部材３６１は、上面視でＵ字状の断面を有する柱状に形成されたアクリル板により構成される。拡散部材３６１を構成するアクリル板の色もまた、例えば乳白色とされる。拡散部材３６１は、その形状によりストロボ発光管３６２を覆うように設けられる。
【０１５５】
すなわち、ストロボ発光管３６２の発光による光は、拡散部材３６１および拡散板３５１を介して、撮影空間Ａ１内に照射される。このような構成により、利用者の背面から柔らかい光が照射されるようになる。
【０１５６】
また、上述したように、背面左ストロボ１０２および背面右ストロボ１０３の高さ方向の位置および長さは、左ストロボ８３および右ストロボ８４のそれと略同じになるようになされている。
【０１５７】
これにより、図２２に示されるように、背面右ストロボ１０３および背面左ストロボ１０２からの光が、それぞれ左ストロボ８３および右ストロボ８４の発光面（拡散板３１１）に反射して、利用者に照射されるようになる。すなわち、左ストロボ８３および右ストロボ８４の発光面が、背面右ストロボ１０３および背面左ストロボ１０２それぞれからの光を反射する反射面として機能する。
【０１５８】
特に、全身撮影のときには、左ストロボ８３および右ストロボ８４は発光しないが、背面右ストロボ１０３および背面左ストロボ１０２それぞれからの光が、左ストロボ８３および右ストロボ８４の発光面に反射するので、利用者に非常に柔らかい光が照射されるようになる。
【０１５９】
また、撮影空間Ａ１においては、壁面の色は背面パネル５１を除いて白色とされる。これにより、撮影空間Ａ１内の各ストロボの発光による光が、撮影空間Ａ１の壁面に反射することで、利用者に柔らかい光が照射されるようになる。
【０１６０】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０１６１】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０１６２】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０１６３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１６４】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０１６５】
また、本技術の実施の形態は、上述した実施の形態に限定されるものではなく、本技術の要旨を逸脱しない範囲において種々の変更が可能である。
【符号の説明】
【０１６６】
１  写真シール作成装置
１１  撮影ユニット
１２  編集ユニット
２０  事前選択部
２１  撮影部
２２  背景部
８１  カメラユニット
８２  上ストロボ
８３  左ストロボ
８４  右ストロボ
８５  足元ストロボ
９１  カメラ
９２  タッチパネルモニタ
１０１  背面上ストロボ
１０２  背面左ストロボ
１０３  背面右ストロボ
３１１  拡散板
３１２  ストロボ発光部
３２１  ストロボ発光管
３２２  平面反射板
３２３  Ｖ字反射板
３５１  拡散板
３５２  ストロボ発光部
３６１  拡散部材
３６２  ストロボ発光管
【図１】
0006520352.tif 000002
【図２】
0006520352.tif 000003
【図３】
0006520352.tif 000004
【図４】
0006520352.tif 000005
【図５】
0006520352.tif 000006
【図６】
0006520352.tif 000007
【図７】
0006520352.tif 000008
【図８】
0006520352.tif 000009
【図９】
0006520352.tif 000010
【図１０】
0006520352.tif 000011
【図１１】
0006520352.tif 000012
【図１２】
0006520352.tif 000013
【図１３】
0006520352.tif 000014
【図１４】
0006520352.tif 000015
【図１５】
0006520352.tif 000016
【図１６】
0006520352.tif 000017
【図１７】
0006520352.tif 000018
【図１８】
0006520352.tif 000019
【図１９】
0006520352.tif 000020
【図２０】
0006520352.tif 000021
【図２１】
0006520352.tif 000022
【図２２】
0006520352.tif 000023